(57)【要約】【課題】薬剤を雨に濡らすことなく供給することが可能な田植機搭載型農薬散布装置を提供する。【解決手段】田植え作業と並行して粒状の農薬を散布する田植機搭載型農薬散布装置であって、上部に設けられた薬剤投入口１０ｂを通じて農薬を収納する収納部１０と、薬剤投入口１０ｂに被着されかつ一部を収納部１０に軸支された蓋体１０ａと、収納部１０から供給される農薬を散布する散布機構１とを備え、蓋体１０ａが、軸支される一部から薬剤投入口１０ｂを越えて離間する方向に延出されている田植機搭載型農薬散布装置を採用する。【選択図】図２
2006320339.tif 000002
【特許請求の範囲】
【請求項１】
田植え作業と並行して粒状の農薬を散布する田植機搭載型農薬散布装置であって、上部に設けられた開口部を通じて前記農薬を収納する収納部と、前記開口部に被着されかつ一部を前記収納部に軸支された蓋体と、前記収納部から供給される農薬を散布する散布機構とを備え、前記蓋体が、軸支される前記一部から前記開口部を越えて離間する方向に延出されていることを特徴とする田植機搭載型農薬散布装置。
【発明の詳細な説明】
【技術分野】
【０００１】
本発明は、田植機に搭載され、田植え作業と並行して粒状の農薬を散布する田植機搭載型農薬散布装置に関する。
【背景技術】
【０００２】
しろかきを終えて水を導入した水田に除草を目的として散布される薬剤は、田植えを行う数日前後に散布されるのが通常であったが、近年では成分の改良がなされ、田植えと同時に散布することが可能になっている。
【０００３】
このような薬剤には液状のものと粒状のものがあり、それぞれについて散布装置が用意されている。液状薬剤用の散布装置は、苗の掻き取り爪の回転運動を利用して薬剤を間欠的に送り出し、所定時間をあけて薬剤を微量ずつ滴下するしくみになっており、田植えを行う田植機の走行中に作動させることで水田に薬剤を散布する。
【０００４】
粒状薬剤用の散布装置は、田植機に装着され、掻き取り爪の運動を利用して駆動されるもので、薬剤の収納部から間欠的に薬剤を流下させ、さらに流下させた薬剤を別の電源によって駆動されるファンによって弾き飛ばすしくみになっており、田植えを行う田植機の走行中に作動させることで水田に薬剤を散布する。
【特許文献１】特開平８−２５２０５０号公報
【発明の開示】
【発明が解決しようとする課題】
【０００５】
ところで、田植えは屋外で行われるので、上記粒状薬剤用の散布装置に薬剤を供給する作業も屋外で行われることになる。しかしながら、田植え作業が必ずしも好天に恵まれているとは限らず、雨の降る中で作業を行うこともある。このとき、薬剤が雨に濡れてしまうと、粒どうしが固まって塊になり、散布が行い難くなることがあった。
【０００６】
本発明は上記の事情に鑑みてなされたもので、薬剤を雨に濡らすことなく供給することが可能な田植機搭載型農薬散布装置を提供することを目的としている。
【課題を解決するための手段】
【０００７】
上記の課題を解決するための手段として、次のような構成を有する農薬散布装置の開発が進められている。すなわち、本発明の田植機搭載型農薬散布装置は、田植え作業と並行して粒状の農薬を散布する田植機搭載型農薬散布装置であって、上部に設けられた開口部を通じて前記農薬を収納する収納部と、前記開口部に被着されかつ一部を前記収納部に軸支された蓋体と、前記収納部から供給される農薬を散布する散布機構とを備え、前記蓋体が、軸支された一部から前記開口部を越えて離間する方向に延出されていることを特徴としている。
【０００８】
この田植機搭載型農薬散布装置においては、蓋体が、軸支された一部から開口部を越えて離間する方向に延出されており、蓋体を開いて収納部を開放しても、鉛直方向から見て蓋体が開口部のすべてを覆った状態が確保される。
【発明の効果】
【０００９】
本発明の田植機搭載型農薬散布装置によれば、蓋体が、軸支された一部から開口部を越えて離間する方向に延出されており、蓋体を開いて収納部を開放しても、鉛直方向から見て蓋体が開口部のすべてを覆った状態が確保されるので、降雨時において収納部に農薬を投入する場合でも、農薬が雨に濡れることを防止することができる。
【発明を実施するための最良の形態】
【００１０】
本発明の田植機搭載型農薬散布装置の実施形態を図１ないし図６に示して説明する。図１に示す田植機搭載型農薬散布装置（以下では単に散布装置と呼ぶ）は、田植機の後部に位置する苗床台Ｓのさらに後方に設置され田植作業と並行して農薬を散布する散布機構１と、田植機に具備される苗床台Ｓの往復動作を利用して作動されて散布機構１による農薬散布を田植作業に同調して間欠的に行わせる散布動作制御機構２と、散布機構１を作動させるための電力を供給する電源機構４とを備えている。各機構に繋がるコード類はセンターボックス５に集められており、センターボックス５には散布装置の作動を大元で断続する主スイッチ５ａが設けられている。
【００１１】
散布機構１は、田植機の農薬が収納される収納部１０と、収納部１０の下部に取付けられたパイプ部１１を通じて供給される農薬を噴出するノズル部１２とを備え、苗床台Ｓの後方に立設された門型の支持フレーム１３に固定されている。
【００１２】
収納部１０は、縦長の箱形でその上面には着脱可能な蓋体１０ａが取り付けられており、この蓋体１０ａを外して内部に農薬を収納するようになっている。収納部１０の上面に設けられた薬剤投入口（開口部）１０ｂに被着される蓋体１０ａは、周縁の一部を収納部１０に軸支されて開閉可能に取り付けられている。さらに、蓋体１０ａは、軸支された部位から薬剤投入口１０ｂを越えて離間する方向に延出されており、その延出部１０ｃは蓋体１０ａが薬剤投入口１０ｂに被着された状態で薬剤投入口１０ｂの縁よりも前方に突出している。また、蓋体１０ａの両側には下方に垂れ下がる側板部１０ｄが設けられている。側板部１０ｄは、蓋体１０ａを開いた状態でも収納部１０の側面に届く長さとなっている。パイプ部１１は、すり鉢状に形成された収納部１０の内底に連通し、下方に向けて延出された先端にノズル部１２が取付けられている。
【００１３】
図２に示すように、収納部１０を除くパイプ部１１とこれに通じるノズル部１２とは、防水ケース４１に収納されている。防水ケース４１はプラスチック等の樹脂製で、噴出口１２ｆの前方に位置して散布口４１ａが設けられている。散布口４１ａは、後述する噴出口１２ｆから噴出される農薬の飛散を妨げないように、噴出口１２ｆの幅方向に長い矩形状に形成されている。
【００１４】
散布口４１ａの幅方向の両側には、噴出口１２ｆから噴出する農薬の散布幅および散布方向を規制するための整流板４２ａ，４２ｂが、散布口４１ａ側に傾倒可能に支持されている。整流板４２ａ，４２ｂは前記の目的だけでなく、内側に重なるように倒されることで散布口４１ａを塞ぐ閉塞体としての働きを備えている。また、整流板４２ａは、その先端を散布口４１ａの幅方向外方に反らせて円弧状に湾曲した形状となっている。
【００１５】
散布量調節機構４３として、収納部１０の側面に回動可能に取り付けられたダイヤル４５には、後述するスリーブ３０が、歯車機構４４を介して連結されている。ダイヤル４５には針部４５ａが設けられており、収納部１０の側面に刻まれた目盛に針部４５ａを合わせることで農薬の散布量を任意に調節できるようになっている。
【００１６】
ノズル部１２は、図３に示すように、パイプ部１１と連結される連結部１２ａ、遮蔽弁２８が内蔵される遮蔽弁ケース１２ｂ、上ケース１２ｃ、下ケース１２ｄ、さらにインペラ１７を覆うカバー１２ｅとが組み合わされて構成されている。
【００１７】
ノズル部１２の先端には、農薬を噴出する噴出口１２ｆが下ケース１２ｄとカバー１２ｅとの間に設けられている。噴出口１２ｆは、パイプ部１１をやや下げた状態で散布機構１を固定したときに地面に対して平行となるように開設されている。
【００１８】
上ケース１２ｃと下ケース１２ｄとの間にはモータ１８が設置されている。モータ１８の回転軸は下ケース１２ｄの下方に突出しており、この回転軸にインペラ１７が取り付けられている。
【００１９】
インペラ１７は、モータ１８の回転軸に中心を固定された円板１７ａ上に２枚の羽根部１７ｂが立設されたもので、噴出口１２ｆの幅方向に面方向を一致させてノズル部１２の内部に配置されている。ノズル部１２の内部には、収納部１０からパイプ部１１を通じて供給される農薬を円板１７ａ上に供給する供給管１９が設けられている。供給管１９はノズル部１２の内部でパイプ部１１と連通しており、インペラ１７に向けて農薬を落下させるようになっている。
【００２０】
インペラ１７は、モータ１８を駆動させることによって一方向に回転し、収納部１０からパイプ部１１を通じて円板１７ａ上に供給される農薬を、円板１７ａとともに回転する羽根部１７ｂによって弾き飛ばすようになっている。
【００２１】
ノズル部１２には、スイッチ２５が接続されたときに作動するソレノイド２６が付設されている。ソレノイド２６は、図４に示すように、パイプ部１１とノズル部１２との間に挟み込まれて固定されたソレノイド固定座２７に、駆動軸２６ａをノズル部１２に向けて固定されている。駆動軸２６ａには、パイプ部１１を仕切りソレノイド２６の作動によってパイプ部１１を開いてインペラ１７に向けて農薬を供給する遮蔽弁２８が固定されている。
【００２２】
遮蔽弁２８は、ノズル部１２の内部に設けられた隔壁２０に沿って往復移動可能に支持されており、隔壁２０に設けられた流通口２０ａを、その往復移動に伴って開閉するようになっている。
【００２３】
遮蔽弁２８は、流通口２０ａと合致する形状とされているものの、遮蔽弁２８が流通口２０ａを閉じた状態のときに遮蔽弁２８と流通口２０ａとの間には、農薬の粒が容易に通過しないように農薬の粒径にほぼ等しい程度の僅かな隙間が設けられている。また、流通口２０ａに臨む遮蔽弁２８の端面は、農薬の流通方向前方に向けて傾斜した状態に形成されている。
【００２４】
散布動作制御機構２には、ソレノイド２６により作動される遮蔽弁２８の１回あたりの開閉動作につき、流通口２０ａを通過する農薬の量を調節し、これによってノズル部１２から噴出される農薬の量を調節する散布量調節機構６が設けられている。
【００２５】
散布量調節機構６には、ソレノイド２６の駆動軸２６ａを軸線方向に貫通された円柱状の移動体２９が設けられている。移動体２９は、駆動軸２６ａまわりの回転を規制されつつ駆動軸２６ａに沿って移動可能となっている。
【００２６】
移動体２９の周面には、駆動軸２６ａの長さ方向に向けて雄ネジ部２９ａが形成されており、この雄ネジ部２９ａには内側に雌ネジ部３０ａが形成されたスリーブ３０が螺合されている。スリーブ３０は、ノズル部１２の内部で駆動軸２６ａの長さ方向への移動を規制されつつ駆動軸２６ａまわりに回転可能に支持されている。
【００２７】
また、図５に示すように、散布動作制御機構２として、苗床台Ｓの裏面側には苗床台Ｓとともに往復移動するバー５１が取り付けられている。バー５１は、苗床台Ｓの裏面に苗床台Ｓの移動方向と平行に取り付けられている。
【００２８】
バー５１は断面コ字型のいわゆるチャネル形状を有し、中央の溝部５１ａを前方に向けた状態で梁部ＳＢ等にファスニングベルト５１ｂを用いて固定されている。溝部５１ａの底面にあたる部分には、複数の金属製のボルト５１ｃが取り付けられている。ボルト５１ｃは苗床台Ｓの移動幅よりもやや狭い範囲に等間隔に配列されている。
【００２９】
バー５１には、その長さ方向に移動自在に近接スイッチ５２が取り付けられている。近接スイッチ５２は、苗床台Ｓの往復動作に伴って移動するボルト５１ｃの接近を磁力線の作用により検出する機構を有しており、バー５１に沿って移動可能に取り付けられた台車５３に対し検出部５２ａを溝部５１ａの底面に向けて固定されている。台車５３は、両側に車輪５３ａを２個ずつ取り付けられており、これら車輪５３ａをバー５１に設けられたレール部５１ｄに転動可能に噛み合わせることでバー５１の長さ方向に移動自在となっている。
【００３０】
近接スイッチ５２は、台車５３とともにバー５１に沿って移動させると、検出部５２ａがボルト５１ｃに接近する度ごとにその接近を検出して出力を得るようになっている（実際には苗床台Ｓに取り付けられたバー５１が移動してスイッチングされる）。
【００３１】
近接スイッチ５２は、台車５３に形成された取付孔５３ｂに、断面矩形の棒状部３５ｃの先端を挿入した状態とされ、これによって常に所定の位置に留まるようになっている。
【００３２】
電源機構４は、実際の電力供給源として田植機に搭載されているバッテリーが兼用されている。センターボックス５は、運転席に搭乗する作業者から手の届く位置に設置されている。
【００３３】
また、センターボックス５には、近接スイッチ５２の出力を得て散布機構１を作動させる制御部５４が内蔵されている。散布機構１では、近接スイッチ５２によってボルト５１ｂの接近が検知されたことを契機としてソレノイド２６が作動され、遮蔽弁２８の開閉動作が１回、行われるように設定されている。本実施形態においては、センターボックス５に設けられた主スイッチ５ａをオン状態にすることによってモータ１８を作動するとともにソレノイド２６への電力供給が行える状態とする。
【００３４】
上記のように構成された散布装置は次のようにして使用される。まず、育苗箱で育てた苗の束を苗床台Ｓに搭載し、水田に乗り入れた田植機について、主スイッチ５ａを接続すると、モータ１８が作動してインペラ１７が回転を開始する。
【００３５】
植え付け動作が開始されると、苗床台Ｓは、掻き取り爪による苗の掻き取り動作に同調して側方に往復移動を開始する。苗床台Ｓの往復移動に伴いローラ２１が回転すると、ローラ２１の回転に従って車輪２５ａが端面２１ａ上を走行し、突起部２１ｃを乗り越えて上下する度ごとにスイッチ２５が間欠的にスイッチングされる。
【００３６】
スイッチ２５がスイッチングされるとその度にソレノイド２６が作動し、遮蔽弁２８が隔壁２０に沿って往復移動して流通口２０ａが開閉される。流通口２０ａが開閉されると、これに伴って流通口２０ａを通過した農薬が供給管１９を通ってインペラ１７上に落下する。インペラ１７上に落下した農薬は、継続的に回転するインペラ１７に弾かれ、噴出口１２ｆおよび散布口４１ａを通じて田植機の後方に向けて噴出される。
【００３７】
苗床台Ｓは田植機の植え付け動作に同調して作動し、植え付け動作が減速されると苗床台Ｓの移動速度も減少し、植え付け動作が増速されると苗床台Ｓの移動速度も増加するので、所定の植え付け面積に散布される農薬の散布量は田植機の植え付け速度に関わらず一定となる。
【００３８】
上記のように構成された散布装置の場合、田植機の植え付け動作が開始されて苗床台Ｓが側方に往復動作を開始すると、苗床台Ｓとともにバー５１が往復移動し、バー５１に取り付けられた複数のボルト５１ｂが近接スイッチ５２の検出部５２ａの上を次々に通過する度ごとに近接スイッチ５２がスイッチングされる。
【００３９】
上記のように構成された散布装置によれば、蓋体１０ａには延出部１０ｃが設けられており、図６に示すように、蓋体１０ａを開いて収納部１０を開放しても、鉛直方向から見て蓋体１０ａが薬剤投入口１０ｂのすべてを覆った状態が確保されるので、降雨時に収納部１０に農薬を投入する場合でも、農薬が雨に濡れ難くなる。
【００４０】
以上、本発明の好ましい実施形態を説明したが、本発明は上記の実施形態に限定されることはない。本発明の趣旨を逸脱しない範囲で、構成の付加、省略、置換、およびその他の変更が可能である。本発明は前述した説明によって限定されることはなく、特許請求の範囲に記載された事項によってのみ限定される。
【産業上の利用可能性】
【００４１】
本発明は、田植え作業と並行して粒状の農薬を散布する田植機搭載型農薬散布装置であって、上部に設けられた開口部を通じて前記農薬を収納する収納部と、前記開口部に被着されかつ一部を前記収納部に軸支された蓋体と、前記収納部から供給される農薬を散布する散布機構とを備え、前記蓋体が、軸支された一部から前記開口部を越えて離間する方向に延出されている田植機搭載型農薬散布装置に関する。
この田植機搭載型農薬散布装置によれば、薬剤を雨に濡らすことなく供給することができる。
【図面の簡単な説明】
【００４２】
【図１】本発明の田植機搭載型農薬散布装置の実施形態を示す図であって、田植機搭載型農薬散布装置の構造を示す概略図である。
【図２】田植機搭載型農薬散布装置を構成する散布機構を示す斜視図である。
【図３】散布機構の内部構造を示す分解斜視図である。
【図４】散布機構の内部構造を示す断面図である。
【図５】田植機搭載型農薬散布装置を構成する散布動作制御機構を示す斜視図である。
【図６】収納部の蓋体を開いた状態、および蓋体を閉じた状態を示す斜視図である。
【符号の説明】
【００４３】
１…散布機構、１０…収納部、１０ａ…蓋体、１０ｂ…薬剤投入口、１０ｄ…側板部
【図１】
2006320339.tif 000003
【図２】
2006320339.tif 000004
【図３】
2006320339.tif 000005
【図４】
2006320339.tif 000006
【図５】
2006320339.tif 000007
【図６】
2006320339.tif 000008